Podtech/llm-jp-corpus-v4-ja_patent huggingface dataset:
(57)【要約】【課題】この発明は、暗闇で活躍する懐中電灯の機能を携帯電話にもたせて照明器具となる携帯電話を提供する。【解決手段】携帯電話に照明器具を装着しスイッチを設け、携帯電話に懐中電灯の機能をもたせた携帯電話である。【選択図】図１
2012023003.tif 000002
【特許請求の範囲】
【請求項１】
照明器具を携帯電話に設けた懐中電灯の機能を持った携帯電話。
【発明の詳細な説明】
【技術分野】
【０００１】この発明は、携帯電話に照明器具を設け懐中電灯の機能をもたせた携帯電話に関するものである。
【背景技術】
【０００２】  従来、携帯電話に照明の機能はなく、照明が必要な場合懐中電灯が必要であり照明を必要とする場合に備えて両方の携帯が必要であった。
【発明の概要】
【発明が解決しようとする課題】
【０００３】  そのために、次のような問題点が生じていた。
（イ）    暗がりで照明が必要な時のために携帯電話以外の照明器具を携帯することが不便であった。本発明は、以上の問題点を解決したものである。
【課題を解決するための手段】
【０００４】  携帯電話の一部に照明器具を取り付けて携帯電話と照明器具を一体化させた携帯電話である。
【発明の効果】
【０００５】  したがって、暗闇で照明が必要な時に照明器具付き携帯電話で対応することができ懐中電灯を携帯する煩わしさがなくなった。
【図面の簡単な説明】
【０００６】
【図１】  本発明の斜視図
【図２】  本発明の使用説明図
【発明を実施するための形態】
【０００７】  以下、本発明の実施の形態について説明をする。
（イ）    携帯本体に照明器具を設ける。
（ロ）    携帯本体に照明器具のスイッチを設ける。
本発明は以上の構造からなる、照明器具付き携帯電話である。
以下、使用法について説明する。
暗がりで照明が必要になった時、この照明器具付き携帯電話が懐中電灯の機能をはたし、懐中電灯の所持の必要がない。
【符号の説明】
【０００８】１は照明器具
２は携帯電話本体
３はスイッチ
４は照明器具からの光
【図１】
2012023003.tif 000003
【図２】
2012023003.tif 000004
(57)【要約】【課題】出力変圧器盤等の周辺設備が無い場合でも、容易に電力変換装置の動作検証ができるようにする。【解決手段】高圧制御ルートを持つ従来回路に対し、検出器７、電圧平均値演算器１０および設定器１６ａ，１６ｂ等からなる低圧制御ルートを設け、出力変圧器盤３に周辺設備がない場合には、検出器７で検出されるインバータ出力電圧から演算器１０でその平均値を求め、インバータ電圧指令９からインバータ出力電圧平均値を減算して、低圧制御を実行し得るようにする。【選択図】図１
2012023894.tif 000002
【特許請求の範囲】
【請求項１】
出力側変圧器との接続時に高圧の電圧制御を行なう第１の電圧制御回路を備えた電力変換装置において、
前記出力側変圧器と接続されないときに低圧の電圧制御を行なう第２の電圧制御回路と、出力側変圧器と接続するか否かにより前記第１，第２の電圧制御回路のいずれか一方を有効にする切替設定器とを設けたことを特徴とする電力変換装置。
【請求項２】
前記切替設定器により前記第２の電圧制御回路を有効とすることにより、前記出力側変圧器が接続されていない場合でも、動作の検証を可能にしたことを特徴とする請求項１に記載の電力変換装置。
【発明の詳細な説明】
【技術分野】
【０００１】
この発明は、低圧インバータの入力側，出力側の少なくとも一方に変圧器を有し、高圧出力電圧を発生する電力変換装置、特にその制御方式に関する。
【背景技術】
【０００２】
この種の電力変換装置として、例えば無停電電源装置がある。この無停電電源装置の動作，性能を確認するためには、模擬的に負荷設備を必要とするのが一般的であるが、そのような模擬負荷設備を設けることなく試験を可能とするものが、例えば特許文献１に記載されている。また、冗長構成の無停電電源装置にして、信頼性を高めるものが例えば特許文献２に記載されている。
【先行技術文献】
【特許文献】
【０００３】
【特許文献１】特開２００９−２３２５４１号公報
【特許文献１】特開平０５−０３８０５５号公報
【発明の概要】
【発明が解決しようとする課題】
【０００４】
しかし、高圧の出力電圧を発生する電力変換装置で動作検証を行なう場合、高圧の出力電圧が検出できないときは制御不能となる。また、高圧の出力電圧を検出するには、出力変圧器盤等の周辺設備が必要不可欠となる。そのため、出力変圧器盤が準備できるまでは、電力変換装置の動作検証ができないという問題が発生する。
従って、この発明の課題は、出力変圧器盤等の周辺設備が無い場合でも、容易に電力変換装置の動作検証をできるようにすることにある。
【課題を解決するための手段】
【０００５】
上記のような課題を解決するため、請求項１の発明では、出力側変圧器との接続時に高圧の電圧制御を行なう第１の電圧制御回路を備えた電力変換装置において、
前記出力側変圧器と接続されないときに低圧の電圧制御を行なう第２の電圧制御回路と、出力側変圧器と接続するか否かにより前記第１，第２の電圧制御回路のいずれか一方を有効にする切替設定器とを設けたことを特徴とする。
【０００６】
上記請求項１の発明においては、前記切替設定器により前記第２の電圧制御回路を有効とすることにより、前記出力側変圧器が接続されていない場合でも、動作の検証を可能にすることができる（請求項２の発明）。
【発明の効果】
【０００７】
この発明によれば、出力変圧器盤等の周辺設備が無い場合でも、設定を変更するだけの操作で、出力変圧器盤等の周辺設備を接続することなく、電力変換装置の動作検証が可能となる。また、トランス比調整ゲイン（１４）を調節することにより、種々の出力変圧器盤等の周辺設備と組み合わせた動作検証を行なうことが可能となる。
【図面の簡単な説明】
【０００８】
【図１】この発明の実施の形態を示す構成図である。
【発明を実施するための形態】
【０００９】
図１はこの発明の実施形態を示す構成図である。同図において、１は入力変圧器盤、２はインバータ盤、３は出力変圧器盤、４は入力変圧器、５は出力変圧器、６は電力変換装置、７はインバータ電圧検出器、１０はインバータ電圧平均値演算器、１１は高圧出力電圧検出器、１２はＰＩ（比例積分）調節器、１３は台形波発生器、１４はトランス比調整ゲイン、１６ａ，１６ｂは設定器、１７は出力電流検出器、１８は瞬時値制御部をそれぞれ示す。
【００１０】
図示のように、図１には出力変圧器盤３に周辺設備がある場合には、インバータ電圧指令９にトランス比調整ゲイン１４を乗算して高圧電圧指令とし、出力変圧器盤３から高圧出力電圧検出器１１を介して得られる電圧を減算することにより、高圧制御を行なうルートが設けられている。
一方、出力変圧器盤３に周辺設備がない場合には、検出器７で検出されるインバータ出力電圧から演算器１０でその平均値１０を求め、インバータ電圧指令９からインバータ出力電圧平均値１０を減算して、低圧制御を行なうルートが設けられている。
【００１１】
そして、高圧制御ルートを生かす（有効にする）場合には、切替設定器１６aには「１」、切替設定器16ｂには「０」を設定する。これに対し、低圧制御ルートを生かす（有効にする）場合には、設定器１６aには「０」、切替設定器16ｂには「１」を設定する。
なお、瞬時値制御部１８は、検出器７からのインバータ出力電圧と指令波形との偏差、および検出器１７を介して得られる出力電流とを入力し、電力に見合った補正をするために設けられている。
【００１２】
つまり、従来回路に対し、検出器７、電圧平均値演算器１０および設定器１６ａ，１６ｂ等を付加したところが、この発明により特に設けられたものということができる。
【符号の説明】
【００１３】
１…入力変圧器盤、２…インバータ盤、３…出力変圧器盤、４…入力変圧器、５…出力変圧器、６…電力変換装置、７…インバータ電圧検出器、１０…インバータ電圧平均値演算器、１１…高圧出力電圧検出器、１２…ＰＩ（比例積分）制御器、１３…台形波発生器、１４…トランス比調整ゲイン、１６ａ，１6ｂ…設定器、１７…出力電流検出器、１８…瞬時値制御部。
【図１】
2012023894.tif 000003